(57)【要約】【課題】竿受部を有した可動式のアームの操作が容易で、摩擦音も少なく、安価に製作できる物干装置を提供する。【解決手段】竿受部１４を有するアーム１６は、抜止部３０がポール１８のスライド溝４２内に収容された状態でスライド可能に設けられている。スライドする際にアーム１６は、案内突起３２がポール１８の幅広部４２ａに案内され、突条部２６が樹脂ガイド部材２０のガイド部５６に案内される。アーム１６は、抜止部３０がポール１８のストッパピン４４に当接する位置に配され、突条部２６が樹脂ガイド部材２０の外に配された状態で回動可能になる。ストッパピン４４を軸にして、アーム１６を回動させると、抜止部３０及び係合受け部３８がポール１８の収容空間４０ａ内を回動し、係合受け部３８がポール１８の係合ピン４６に係合して、アーム１６が傾倒状態に保持される。【選択図】図９
2014195520.tif 000002
【特許請求の範囲】
【請求項１】
建築物に取り付けられる長尺のポールと、前記ポールにスライド及び回動自在に取り付けられ竿受部を有するアームと、前記ポールの先端部に取り付けられた樹脂ガイド部材とで構成され、
前記アームは、板状の本体と、前記本体の長手方向の側縁に沿って設けられ前記本体の表裏から厚み方向に突出する一対の突条部と、前記アームの基端部側の前記突条部に設けられ前記本体の側縁に形成された抜止部と、前記突条部の前記基端部側に設けられ前記本体の表裏から厚み方向に突出し、その突出高さが前記突条部の突出高さよりも高い一対の案内突起と、前記アームの前記基端部に設けられた係合受け部とを備え、
前記ポールは、長尺のフレーム材と、前記フレーム材の側面に長手方向に沿って形成された溝であってその開口部が溝幅よりも幅狭に形成されたスライド溝と、前記フレーム材の先端部に設けられ前記アームの前記基端部を収容可能な収容空間と、前記収容空間内に互いに所定間隔を隔てて取り付けられたストッパ部材と係合部材を備え、
前記樹脂ガイド部材は、前記突条部を摺動可能に案内するガイド部を備え、
前記アームは、前記抜止部が前記スライド溝内にゆとりをもって収容された状態でスライド可能になり、前記一対の案内突起が前記スライド溝の内側で摺動可能に案内され、前記突条部が前記樹脂ガイド部材の前記ガイド部の内側で摺動可能に案内されて、前記フレーム材の長手方向にスライドし、前記抜止部が前記ストッパ部材に当接するとともに前記突条部が前記ガイド部の外に位置した状態で回動可能になり、前記ストッパ部材を軸にして回動させると、前記係合受け部が前記収容空間内を回動して前記係合部材に係合し、前記フレーム材に対して前記アームが傾倒状態に保持されることを特徴とする物干装置。
【請求項２】
前記フレーム材は、金属製の押出形材により形成され、前記ストッパ部材及び前記係合部材は、前記フレーム材に固定された金属製の部品である請求項１記載の物干装置。
【請求項３】
前記アームの前記一対の案内突起は、金属製の前記本体に固定された樹脂成形体により形成されている請求項１記載の物干装置。
【請求項４】
建築物に固定される建築物固定部と、前記ポールの長手方向の複数の位置に固定可能なポール固定部とを有するベースを備え、
前記ポールは、前記ベースを介して前記建築物に取り付けられる請求項１乃至３のいずれか記載の物干装置。
【発明の詳細な説明】
【技術分野】
【０００１】
本発明は、建築物（支柱、建物の壁面、ベランダの手摺等）に取り付け、物干し竿を掛け渡して使用する物干装置に関する。
【背景技術】
【０００２】
従来、この種の物干装置として、例えば特許文献１に開示されているように、前面が開口した筺体を有し建築物に固着される支持体と、竿掛部が設けられた腕杆とを備え、腕杆が支持体の筺体に回動可能かつ摺動可能に取り付けられた物干装置があった。支持体は、筺体内部に引掛部が設けられ、筺体の底面に通過孔が設けられ、筺体の左右側面の間に軸杆が架設され、筺体の前面側に上側案内部及び下側案内部が対設けられている。腕杆は、基端部に掛合部及び抜止片が設けられ、側縁部に所定の摺動部が設けられている。腕杆は、抜止片が支持体の軸杆から離脱して通過孔内を通過可能に配された状態で、摺動部が支持体の上側案内部及び下側案内部に案内されて、上下方向にスライド可能になる。また、腕杆は、抜止部が支持体の軸杆に当接する位置に配され、その当接部分を軸にして腕杆を回動させる操作が行われると、掛合部が支持体の引掛部に係合し、抜止部が軸杆に係合して抜け止めされ、傾倒状態に保持される。
【０００３】
また、特許文献２に開示されているように、取付具を介して建築物に固着される支柱と、支柱に回動可能かつ摺動可能に取り付けられた腕杆と、支柱の上端部に取り付けられる蓋具とで構成された物干装置があった。腕杆は、側縁に突条部が設けられ、突条部の基端部に所定の抜止部及び案内突起が設けられ、案内突起の表面が合成樹脂製になっている。支柱は、押し出し材から形成され、腕杆の案内突起を摺動可能に案内するガイド部が設けられている。蓋具は、上部に腕杆の突条部を摺動可能に案内するガイド部が設けられ、略扇状に内方に突出するストッパが設けられ、所定の受止突起が設けられ、ガイド部に合成樹脂製の案内カバーが設けられている。腕杆は、抜止部が支柱のガイド部内に収容された状態で、突条部が蓋具のガイド部に案内され、案内突起が支柱のガイド部に案内されて、上下方向にスライド可能になる。また、腕杆は、抜止部及び案内突起が支柱のガイド部から外れ、抜止部がストッパに当接する位置に配された状態で、抜止部をストッパから離間させながら（又はストッパの略扇状の表面を摺動させながら）腕杆を傾ける操作が行われると、腕杆の基端部が蓋具内の角部及び受止突起に係止され、支柱に対して傾倒状態に保持される。
【先行技術文献】
【特許文献】
【０００４】
【特許文献１】特開昭６２−１１４６００号公報
【特許文献２】特開平１０−２９５９９６号公報
【発明の概要】
【発明が解決しようとする課題】
【０００５】
特許文献１の物干装置の場合、支持体は、形状が複雑であり、腕杆を傾倒状態に保持する際に各部に大きなストレスが生じることから、通常、金属のダイキャスト成形品が用いられており、コストの面で問題になる。また、支持体の外形が腕杆の基端部が収まる程度に小さく、腕杆の摺動部を案内する上側案内部と下側案内部との間隔が短いので、使用者が不慣れだと、腕杆が傾いて上手くスライドできないという問題が生じる。さらに、金属製の腕杆と支持体とが擦れることによって不快な摩擦音が発生するという問題もあった。
【０００６】
特許文献２の物干装置の場合も、蓋具は、形状が複雑であり、腕杆を傾倒状態に保持する際に大きなストレスが生じることから、通常、金属のダイキャスト成形品が用いられ、コストの面で問題になる。また、腕杆を回動させる操作を行うとき、回動軸となる部分がないので、使用者が不慣れだと、腕杆を上手く回動させて保持させることができないという問題が生じる。
【０００７】
本発明は、上記背景技術に鑑みて成されたものであり、竿受部を有した可動式のアームの操作が容易で、摩擦音も少なく、安価に製作できる物干装置を提供することを目的とする。
【課題を解決するための手段】
【０００８】
本発明は、建築物に取り付けられる長尺のポールと、前記ポールにスライド及び回動自在に取り付けられ竿受部を有するアームと、前記ポールの先端部に取り付けられた樹脂ガイド部材とで構成され、前記アームは、板状の本体と、前記本体の長手方向の側縁に沿って設けられ前記本体の表裏から厚み方向に突出する一対の突条部と、前記アームの基端部側の前記突条部に設けられ前記本体の側縁に形成された抜止部と、前記突条部の前記基端部側に設けられ前記本体の表裏から厚み方向に突出し、その突出高さが前記突条部の突出高さよりも高い一対の案内突起と、前記アームの前記基端部に設けられた係合受け部とを備え、前記ポールは、長尺のフレーム材と、前記フレーム材の側面に長手方向に沿って形成された溝であってその開口部が溝幅よりも幅狭に形成されたスライド溝と、前記フレーム材の先端部に設けられ前記アームの前記基端部を収容可能な収容空間と、前記収容空間内に互いに所定間隔を隔てて取り付けられたストッパ部材と係合部材を備え、前記樹脂ガイド部材は、前記突条部を摺動可能に案内するガイド部を備え、前記アームは、前記抜止部が前記スライド溝内にゆとりをもって収容された状態でスライド可能になり、前記一対の案内突起が前記スライド溝の内側で摺動可能に案内され、前記突条部が前記樹脂ガイド部材の前記ガイド部の内側で摺動可能に案内されて、前記フレーム材の長手方向にスライドし、前記抜止部が前記ストッパ部材に当接するとともに前記突条部が前記ガイド部の外に位置した状態で回動可能になり、前記ストッパ部材を軸にして回動させると、前記係合受け部が前記収容空間内を回動して前記係合部材に係合し、前記フレーム材に対して前記アームが傾倒状態に保持される物干装置である。
【０００９】
前記ポールには、前記スライド溝の内側面から内向きに突出し、その表面が樹脂に覆われたストッパ部が設けられ、前記アームは、前記基端部が前記スライド溝内を前記収容空間から離れる方向にスライドすると、前記抜止部が前記ストッパ部の樹脂部分に当接した状態で係止される。
【００１０】
前記フレーム材は、金属製の押出形材により形成され、前記ストッパ部材及び前記係合部材は、前記フレーム材に固定された金属製の部品が好ましい。前記アームの前記一対の案内突起は、金属製の前記本体に固定された樹脂成形体により形成されていてもよい。
【００１１】
また、建築物に固定される建築物固定部と、前記ポールの長手方向の複数の位置に固定可能なポール固定部とを有するベースを備え、前記ポールは、前記ベースを介して前記建築物に取り付けられる構造でもよい。
【発明の効果】
【００１２】
本発明の物干装置は、竿受部を有したアームがスライド及び回動自在にポールに保持され、不使用時にはアームをポール近傍にコンパクトに収めることができる。しかも、アームをスライド及び回動させる操作が容易で、金属同士が擦れる不快な摩擦音も発生しにくい。
【００１３】
また、アームを支持するポールは、例えば金属押出形材に簡単な追加工を施すことで容易に製作できる構造であり、樹脂ガイド部材も通常の射出成型によって容易に製作できるシンプルな構造なので、金属のダイキャスト成形品等を使用することなく安価に製作することができる。
【図面の簡単な説明】
【００１４】
【図１】本発明の物干装置の一実施形態が建築物に取り付けられたときの外観を示す図であって、アームをポール近傍に収めた状態を示す正面図（ａ）、アームが上方にスライドした状態を示す正面図（ｂ）、アームが傾倒して保持されている状態を示す正面図（ｃ）である。
【図２】この実施形態の物干装置のアームを示す平面図（ａ）、正面図（ｂ）である。
【図３】図２のA1-A1断面図（ａ）、A2-A2断面図（ｂ）である。
【図４】図２のA3部の拡大正面図（ａ）、A4-A4断面図（ｂ）である。
【図５】この実施形態の物干装置のポールを示す正面図（ａ）、右側面図（ｂ）、B1-B1断面図（ｃ）、B2-B2断面図（ｄ）である。
【図６】この実施形態の物干装置のベースを示す正面図（ａ）、右側面図（ｂ）である。
【図７】この実施形態の樹脂ガイド部材の正面図（ａ）、右側面図（ｂ）、左側面図（ｃ）、平面図（ｄ）、底面図（ｅ）、C1-C1断面図（ｆ）である。
【図８】この実施形態の物干装置のアーム及びポールの部分を示す図であって、アームを納めた状態を示す正面図である。
【図９】図８のD1-D1断面図（ａ）、D2-D2断面図（ｂ）、D3-D3断面図（ｃ）である。
【図１０】この実施形態の物干装置のアーム及びポールの部分を示す図であって、アームを上方にスライドした状態を示す拡大正面図（ａ）、縦断面図（ｂ）である。
【図１１】この実施形態の物干装置のアーム及びポールの部分を示す図であって、アームが傾倒して保持されている状態を示す拡大正面図（ａ）、縦断面図（ｂ）である。
【発明を実施するための形態】
【００１５】
以下、本発明の物干装置の一実施形態について、図面に基づいて説明する。この実施形態の物干装置１０は、図１に示すように、基端部１２から離れた位置に複数の竿受部１４が設けられたアーム１６と、アーム１６をスライド自在及び回動自在に保持する長尺のポール１８と、ポール１８の先端部に固定された樹脂ガイド部材２０とを備え、ポール１８がベース２２を介して建築物Ｋに取り付けられている。物干装置１０は、使用しないときは、アーム１６を縦にしてポール１８近傍に収めることができる。アーム１６を上方にスライドさせた後、基端部１２を軸にして回動させると、アーム１６が傾倒状態に保持されて使用可能な状態になる。以下、各部材の構造について、アーム１６、ポール１８、ベース２２、樹脂ガイド部材２０の順に説明する。
【００１６】
アーム１６は、図２に示すように、金属製の細長い板状の本体２４を備え、基端部１２から離れた位置に複数の竿受部１４（貫通孔）が形成されている。本体２４の長手方向の一方の側縁には、図３に示すように、本体２４の表裏から厚み方向に突出する一対の突条部２６が設けられている。突条部２６は、少なくとも一方の側縁に沿って設けられればよく、例えばアーム１６のように、突条部２６を本体２４の反対側の側縁まで延長し、デザイン性を持たせてもよい。以下、突条部２６を延長した部分を延長部２８とし、突条部２６と区別する。
【００１７】
突条部２６の基端部１２側の位置に、本体１４の側縁から本体１４の表裏面に沿った方向に突出した抜止部３０が設けられている。抜止部３０は、図４に示すように、長方形状に突出し、竿受部１４側の側面に円弧状に切り欠かれたストッパ受け部３０ａが形成されている。
【００１８】
突条部２６の基端部１２側の近傍に、本体１４の表裏から厚み方向に突出する一対の案内突起３２が設けられている。案内突起３２は、ここでは、硬質の合成樹脂で成る樹脂成形体３４の一部であり、樹脂成形体３４は、本体１４の基端部１４に設けた段付き孔に表裏から一対に差し込まれ、連結具３６で強固に連結され、本体１４と一体になっている。案内突起３２は、表面が樹脂で覆われた突起であればよく、例えば、金属製の本体１４の一部を突出させ、その突出部分に樹脂製のキャップを嵌め込んだ構造にしてもよい。案内突起３２の突出高さは、突条部２６の突出高さよりも高い。
【００１９】
抜止部３０のストッパ受け部３０ａと反対側の近傍に、抜止部３０の側面の根元部分を円弧状に切り欠いた係合受け部３８が設けられている。係合受け部３８及び上記のストッパ受け部３０ａについては、後で詳しく説明する。
【００２０】
ポール１８は、図５に示すように、アルミニウム等の金属製の押出形材から形成されたフレーム材４０を備え、フレーム材４０の一方の側面にスライド溝４２が設けられている。スライド溝４２は、断面形状がほぼ四角形に形成され、開口部の幅が溝内の幅より狭く形成されている。以下、開口部より幅広の溝内空間を幅広部４２ａと称する。
【００２１】
フレーム材４０の一端部には、アーム１６の基端部１２を収容可能な収容空間４０ａが設けられている。収容空間４０ａは、スライド溝４２の端部とその端部のスライド溝４２の底面４２ｂの一部を除去した空間により形成されている。収容空間４０ａには、スライド溝４２の幅広部４２ａを横切るように、ストッパ部材である金属製のストッパピン４４が取り付けられている。ストッパピン４４の径は、上記アーム１６のストッパ受け部３０ａの内径とほぼ等しい。さらに収容空間４０ａには、ストッパピン４４から離れた位置であって、スライド溝４２の除去された底面４２ｂの裏側の空間を横切るように、係合部材である金属製の係合ピン４６が取り付けられている。係合ピン４６の径は、上記アーム１６の係合受け部３８の内径とほぼ等しい。
【００２２】
フレーム材４０の他端部寄りの位置に、スライド溝４２の底面４２ｂから内向きに突出するストッパ部４８が設けられている。ストッパ部４８は、例えば、硬質の合成樹脂を成形した樹脂ブロックを底面４２ｂにネジ固定して設けられる。ストッパ部４８は、表面が樹脂に覆われた突起等であればよく、例えば、金属ブロックを底面４２ｂにネジ固定し、その突出部分に樹脂製のキャップを嵌め込んだ構造でもよい。
【００２３】
フレーム材４０のスライド溝４２と対向する側面に、後述するベース２２のポール固定部２２ｂと摺動可能に係合するベース係合部５０が設けられている。
【００２４】
ベース２２は、図６に示すように、アルミニウム等の金属の押出形材から形成されている。一方の側面に建築物固定部２２ａが設けられ、建築物Ｋの壁面に当接させてネジ締め等で固定できる構造になっている。建築物固定部２２ａと対向する側面にはポール固定部２２ｂが設けられ、ポール１８に固定できる構造になっている。ポール固定部２２ｂは、ポール１８のベース係合部５０に摺動可能に係合し、図示しない所定の固定機構によって、フレーム材４０の長手方向の任意の位置に固定できる構造になっている。
【００２５】
樹脂ガイド部材２０は、硬質の合成樹脂を一体成形したものであり、図７に示すように、フレーム材４０の先端部側の端面を塞ぐ蓋部５２を有し、蓋部５２の中央部分に４つのネジ孔５２ａが形成され、蓋部５２の側端部に一対の側壁片５４が立設されている。蓋部５２の側壁片５４がない側端部には、平面視で奥側を幅広に形成した形状のガイド部５６が設けられている。ガイド部５６は、ポール１８に取り付けた状態で、スライド溝４２の幅広部４２ａに収まる大きさである。
【００２６】
次に、組み立てられた物干装置１０の内部構造と動作を説明する。物干装置１０は、建築物Ｋに取り付けてアーム１２をポール１８の近傍に収めると、図８の状態になる。アーム１６は、基端部１２がポール１８の中央部よりも下寄りの位置に保持され、先端部がポール１８に取り付けた樹脂ガイド部材２０を超えて上方に突出している。
【００２７】
樹脂ガイド部材２０を取り付けた部分の内部構造は、図９（ａ）のように表され、樹脂ガイド部材２２は、ポール１８のフレーム材４０の端面を覆って外周面に係合し、ガイド部５６がスライド溝４２の内側に配置され、４つのネジ孔５２ａにネジ５８を差し込んでフレーム材４０に締め付け固定されている。アーム１６は、突条部２６がガイド部５６の内側に摺動可能に収容され、それ以外の本体２４の部分は、スライド溝４２の開口から外側に突出している。
【００２８】
ベース２２にポール１８を取り付けた部分の内部構造は、図９（ｂ）のように表され、アーム１６は、ベース係合部５０がベース２２のポール固定部２２ｂに摺動可能に係合し、図示しない固定機構により固定されている。突条部２６は、ポール１８の幅広部４２ａ内にゆとりをもって（周囲に触れないように）収容され、それ以外の本体２４の部分が、スライド溝４２の開口から外側に突出している。
【００２９】
アーム１６の基端部１２がある部分の内部構造は、図９（ｃ）のように表され、アーム１６は、抜止部３０がポール１８の幅広部４２ａ内にゆとりをもって（周囲に触れないように）収容され、抜止部３０が想像線で表したストッパ４８の上に係止されることによって、全体が支持されている。一対の案内突起３２は、幅広部４２ａの内側に摺動可能に収容され、それ以外の樹脂製形体３４及び本体２４の部分は、スライド溝４２の開口から外側に突出している。
【００３０】
したがって、使用者がアーム１６を上向きに動かすと、アーム１６は、突条部２６の先端部寄りの部分が樹脂ガイド部材２０のガイド部５６の内側を摺動し、基端部１２の案内突起３２がポール１８の幅広部４２ａの内側を摺動して、フレーム材４０の長手方向にスライドすることができる。アーム１６がスライドするとき、図９から分かるように、アーム１６、ポール１８及び樹脂ガイド部材２０が摺接する部分は、いずれも金属と樹脂が接する形になるので、金属同士が擦れ合う不快な摩擦音が発生しない。
【００３１】
アーム１６を上向きにスライドして、基端部１２がポール１８上端に達すると、図１０（ａ）の状態になる。アーム１６が上向きにスライドすると、図１０（ｂ）に示すように、抜止部３０のストッパ受け部３０ａがストッパピン４４に当接することによって停止する。このとき、抜止部３０及び案内突起３２は、ポール１８の幅広部４２ａから出て、広い収容空間４０ａ内に配されている。また、突条部２６が、ポール１８のスライド溝４２及び樹脂ガイド部材２０のガイド部５６から出て、ポール１８及び樹脂ガイド部材２０の外に配されている。したがって、アーム１６は、ストッパ受け部３０ａとストッパピン４４の当接部分を軸にして、建築物Ｋから離れる向きに回動可能な状態になる。
【００３２】
次に、アーム１６を回動させる操作が行われると、図１１（ｂ）に示すように、アーム１６の抜止部３０及び係合受け部３８が収容空間４０ａ内を回動し、係合受け部３８が係合ピン４６の位置に達して停止する。そして、アーム１６は、係合受け部３８が係合ピン４６に係合し、ストッパピン４４が抜止部３０に係合して抜け止めされ、フレーム材４０に対して傾倒状態に保持され、物干し竿を架け渡して使用できる状態になる。
【００３３】
物干装置１０を使用した後、アーム１８を縦にしてポール１８近傍に収めるときは、上記と逆の動作を行う。
【００３４】
以上説明したように、物干装置１０は、アーム１６がスライド自在かつ回動自在にポール１８に保持され、不使用時にはアームをポール近傍にコンパクトに収めることができる。しかも、アーム１６は、スライドするとき、十分離れた２箇所（基端部１２の案内突起３２と、突条部２６の基端部から離れた部分）が摺動可能に案内され傾きにくいので、不慣れな使用者でもスムーズにスライドさせることができる。また、金属同士が擦れる不快な摩擦音も発生しない。アーム１６を回動させるときも、一定の回動軸が形成されるので、操作が簡単である。
【００３５】
また、各部材の構造がシンプルなので、それぞれ安価に製作することができる。例えば、ポール１８の場合、長尺の金属押出形材を切断し、ストッパピン４４、係合ピン４６及びストッパ部４８を取り付け、必要に応じて所定の広さの収容空間４０ａを確保する加工を行うだけでよいので、従来のダイキャスト成形等の方法に比べて安価に製作できる。樹脂ガイド部材２０についても、構造がシンプルで、特別な強度も不要なので、一般的な射出成形によって安価に製作することができる。
【００３６】
なお、本発明は、上記実施形態に限定されるものではなく、フレーム材やベースは、金属製の押出形材以外の素材を使用してもよく、例えば、一定の強度を備えた硬質樹脂などを使用しても構わない。フレーム材の長さや太さ、アームの竿受部の形状や数、使用時のアーム角度の設定などについても、自由に変更することができる。
【００３７】
また、ポールにストッパ部材及び係合部材を設ける構造は、フレーム材の内側に円柱状のピンを架設する構造に限定されず、例えば、ピンを角柱状に変更してもよいし、フレーム材の内側面に小形ブロック体をネジ固定する構造を用いてもよいが、金属製の別部材であることが好ましい。
【００３８】
また、ベースの建築物固定部は、建築物の構造（傾斜した平面、ベランダの手摺など）に合わせて変更することができる。また、建築物にポールを直接取り付け可能であれば、ベースを省略してもよい。
【符号の説明】
【００３９】
１０  物干装置
１２  基端部
１４  竿受部
１６  アーム
１８  ポール
２０  樹脂ガイド部材
２２  ベース
２２ａ  建築物固定部
２２ｂ  ポール固定部
２４  本体
２６  突条部
３０  抜止部
３０ａ  ストッパ受け部
３２  案内突起
３４  樹脂成形体
３８  係合受け部
４０  フレーム材
４０ａ  収容空間
４２  スライド溝
４２ａ  幅広部
４４  ストッパピン
４６  係合ピン
４８  ストッパ部
５６  ガイド部
【図１】
2014195520.tif 000003
【図２】
2014195520.tif 000004
【図３】
2014195520.tif 000005
【図４】
2014195520.tif 000006
【図５】
2014195520.tif 000007
【図６】
2014195520.tif 000008
【図７】
2014195520.tif 000009
【図８】
2014195520.tif 000010
【図９】
2014195520.tif 000011
【図１０】
2014195520.tif 000012
【図１１】
2014195520.tif 000013